(57)【特許請求の範囲】
【請求項１】
増幅器によって増幅されるべき入力信号に基づいてルックアップテーブルからプリディストーションパラメータを取り出し、該プリディストーションパラメータに従って前記入力信号をプリディストーション処理して、前記増幅器によって増幅される歪み補償信号を生成するプリディストーションユニットと、
前記増幅器の出力信号に基づいて費用関数を生成する費用関数生成ユニットと、
固定区分点を決定する固定区分点決定ユニットと、
ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する更新ユニットと、
を有する適応デジタルプリディストーション装置。
【請求項２】
前記費用関数生成ユニットは、
前記増幅器の前記出力信号に基づいて帯域外電力を計算する帯域外電力計算部と、
前記帯域外電力をフィルタリングし、フィルタリングされた帯域外電力を前記費用関数として前記更新ユニットに出力するくし形フィルタと、
を有する、請求項１に記載の適応デジタルプリディストーション装置。
【請求項３】
前記くし形フィルタは、伝達関数：
【数１】
0005589874.tif 000012
を有する、請求項２に記載の適応デジタルプリディストーション装置。
【請求項４】
前記固定区分点決定ユニットは、前記適応的な区分点ｋａに基づいて前記固定区分点を決定する、請求項１に記載の適応デジタルプリディストーション装置。
【請求項５】
前記更新ユニットは、前記更新後のパラメータ（ｕ１，ｕ２，ｋａ）に基づいて前記ルックアップテーブルを、
【数２】
0005589874.tif 000013
によって更新し、
ただし、Ｌ’（・）は更新前のルックアップテーブル、Ｌ（・）は更新後のルックアップテーブル、ｋは前記ルックアップテーブルのインデックスである、
請求項１に記載の適応デジタルプリディストーション装置。
【請求項６】
前記更新ユニットは、前記更新後のパラメータ（ｖ１，ｖ２）及び前記固定区分点に基づいて前記ルックアップテーブルを、
【数３】
0005589874.tif 000014
によって更新し、
ただし、ｋｂは前記固定区分点、Ｌ’（・）は更新前のルックアップテーブル、Ｌ（・）は更新後のルックアップテーブル、ｋは前記ルックアップテーブルのインデックスである、
請求項１に記載の適応デジタルプリディストーション装置。
【請求項７】
増幅器によって増幅されるべき入力信号に基づいてルックアップテーブルからプリディストーションパラメータを取り出し、該プリディストーションパラメータに従って前記入力信号をプリディストーション処理して、前記増幅器によって増幅される歪み補償信号を生成し、前記増幅器の出力信号に基づいて費用関数を生成し、固定区分点を決定し、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する、プロセッサと、
前記歪み補償信号を無線信号に変換する変換器と、
前記無線信号を増幅する前記増幅器と、
を有する適応デジタルプリディストーション装置。
【請求項８】
増幅器によって増幅されるべき入力信号に基づいてルックアップテーブルからプリディストーションパラメータを取り出すステップと、
前記プリディストーションパラメータに従って前記入力信号をプリディストーション処理して、前記増幅器によって増幅される歪み補償信号を生成するステップと、
を有し、
前記ルックアップテーブルは、
適応区分段階において、前記増幅器の出力信号に基づいて費用関数を生成し、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、
前記適応区分段階の後の固定区分段階において、前記増幅器の出力信号に基づいて費用関数を再生成し、固定区分点を決定し、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する、
ことによって自動的に更新される、
適応デジタルプリディストーション方法。
【発明の詳細な説明】
【技術分野】
【０００１】
本発明は、無線通信システムにて使用する適応デジタルプリディストーション装置及び方法に関する。
【背景技術】
【０００２】
無線通信技術の進展に伴い、高スペクトル効率の様々なデジタル変調方式（例えば、１６ＱＡＭ／６４ＱＡＭ／ＯＦＤＭ）が広く使用されるに至っている。従来の定エンベロープ変調と比較して、高スペクトル効率のデジタル変調方式によって伝送される信号のエンベロープは、高いピーク対平均電力比（Peak-to-Average-Power  Ratio；ＰＡＰＲ）を有する。送信信号が非線形増幅器を通るとき、相互変調項が生成されることになる。相互変調項は、帯域内信号を歪ませるだけでなくスペクトルリークをもたらし、それ故に、隣接し合うチャネルが互いに干渉してしまう。
【０００３】
プリディストーション技術は、基本的に、非線形電力増幅器の非線形な伝達特性を測定することによって該非線形電力増幅器の逆伝達特性を取得し、該非線形電力増幅器のプリディストーションモジュールにプリディストーションデータとして上記逆伝達特性を統合することで、信号が該非線形電力増幅器を通るときに生じる非線形歪みを補償する技術である。
【０００４】
曲線フィッティング技術によって増幅器の非線形な逆伝達特性を近似するのが従来手法である。図１は、曲線フィッティング法により取得された線形近似を概略的に示している。図１に示すように、曲線は複数の直線区分（線分）を用いることによってフィッティングされ得る。例えば、各直線区分の端点ｕ１及びｕ２の値が既知であるとき、該直線区分内の点ｕｋの値は、等式：
【数１】
0005589874.tif 000002
によって計算され得る。
【０００５】
理論的には、無限区分フィッティングによって、増幅器の逆伝達特性の最適近似を実現することができる。しかしながら、明らかなように、実際のプリディストーションシステムにおいては、過剰な区分（線分）は回路の複雑さを急激に増大させてしまう。故に、区分点をパラメータにとり、探索によって最適区分点を取得することで、過剰な区分によって引き起こされる回路の複雑化を抑制するのが通常である。
【０００６】
図２は、関連技術に係る適応区分デジタルプリディストーション装置を含む無線通信システムの例示的なブロック図を示している。
【０００７】
図２に示すように、この無線通信システムは、プリディストータ１００、デジタル−アナログ（Ｄ／Ａ）変換器１０１、直交変調器（クワドラチャモジュレータ）１０２、ミキサ１０３、増幅器１０４、アンテナ１０５、カップラ１０６、アッテネータ１０７、ミキサ１０８、アナログ帯域通過フィルタ１０９、電力検出器１１０、アナログ−デジタル（Ａ／Ｄ）変換器１１１、アベレージャ１１２、パラメータ更新部１１３、ルックアップテーブル更新部１１４、ルックアップテーブル１１５、及び電力計算部１１６を含んでいる。
【０００８】
電力計算部１１６は、デジタルベースバンドの入力信号の瞬時電力を計算する。ルックアップテーブル１１５は、入力信号をプリディストーション処理する際に使用するプリディストーションパラメータを格納している。デジタルベースバンドの入力信号の、計算された瞬時電力は、対応するプリディストーションパラメータをルックアップテーブル１１５から検索するための指数（インデックスナンバー）として取り扱われる。プリディストータ１００が、デジタルベースバンドの信号をプリディストーションパラメータに従ってプリディストーション処理し、予め歪まされた信号（歪み補償信号）を生成する。Ｄ／Ａ変換器１０１が、歪み補償信号のＤ／Ａ変換を実行してアナログ信号を生成する。直交変調器１０２が、Ｄ／Ａ変換器１０１によって生成されたアナログ信号を直交変調した後、ミキサ１０３が、直交変調された信号をＲＦ信号に変換する。増幅器１０４が、ミキサ１０３からのＲＦ信号を増幅し、増幅された信号（すなわち、出力信号）をアンテナ１０５に出力する。アンテナ１０５が、増幅器１０４によって増幅された信号を送信する。
【０００９】
増幅器１０４の出力信号は部分的に、増幅器１０４の出力端に結合されたカップラ１０６を介してアッテネータ１０７へと導かれる。アッテネータ１０７によって減衰された信号に従って、ミキサ１０８がベースバンド信号を生成する。アナログ帯域通過フィルタ１０９が、ベースバンド信号から帯域外信号をフィルタリングし、電力検出器１１０が、フィルタリングされた帯域外信号の瞬時電力を計算する。Ａ／Ｄ変換器１１１が、電力検出器１１０から出力された帯域外信号の瞬時電力を、デジタル電力信号に変換する。アベレージャ１１２が、Ａ／Ｄ変換器１１１から出力された複数のデジタル電力信号を平均化し、平均デジタル電力信号を取得する。平均デジタル電力信号は、パラメータ更新部１１３に費用関数として入力される。パラメータ更新部１１３は、適応区分アルゴリズムにより、パラメータ（ｕ１，ｕ２，ｋａ）を更新する。ただし、ｋａは１つの区分点であり、ｕ１及びｕ２は該区分点の両側での傾きである。ルックアップテーブル更新部１１４が、等式：
【数２】
0005589874.tif 000003
に従って、更新されたパラメータを用いてルックアップテーブルを更新する。ただし、Ｌ’（・）は更新前のルックアップテーブルであり、Ｌ（・）は更新後のルックアップテーブルであり、ｋはルックアップテーブルの索引（インデックス）である。更新前のルックアップテーブルは、例えば増幅器の伝達特性に従って生成されたルックアップテーブルといった当初のルックアップテーブル、又はその他の方法にて更新された、あるいは以前に更新されたルックアップテーブルとし得る。
【００１０】
上述の適応区分プリディストーション方法においては、区分点ｋａが適応的に更新される。しかしながら、より良好な性能を達成するために区分点の数が増加されるとき、複数の区分点が絶えず更新される必要があるため、適応デジタルプリディストーション装置の収束時間が長くなる。特に、時間の経過に伴う増幅器の伝達特性の変動が無線通信装置によって補償されるべきとき、適応デジタルプリディストーション装置の収束時間の過度の増大は許容され得ないものである。
【００１１】
故に、許容可能な収束時間内で良好な性能を得ることが可能な適応デジタルプリディストーション装置及び方法が望まれる。
【発明の概要】
【発明が解決しようとする課題】
【００１２】
開示の技術は、適応的な区分を固定の区分と組み合わせる適応デジタルプリディストーション装置及び方法を提供することを１つの目的とする。
【課題を解決するための手段】
【００１３】
上述及びその他の更なる課題を達成するため、本発明によって以下のような態様が提供される。
【００１４】
本発明の一態様によれば、適応デジタルプリディストーション装置が提供される。当該装置は、増幅器によって増幅されるべき入力信号に基づいてルックアップテーブルからプリディストーションパラメータを取り出し、該プリディストーションパラメータに従って前記入力信号をプリディストーション処理して、前記増幅器によって増幅される歪み補償信号を生成するプリディストーションユニットと、前記増幅器の出力信号に基づいて費用関数を生成する費用関数生成ユニットと、固定区分点を決定する固定区分点決定ユニットと、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する更新ユニットとを含む。
【００１５】
本発明の他の一態様によれば、適応デジタルプリディストーション方法が提供される。当該方法は、増幅器によって増幅されるべき入力信号に基づいてルックアップテーブルからプリディストーションパラメータを取り出すステップと、前記プリディストーションパラメータに従って前記入力信号をプリディストーション処理して、前記増幅器によって増幅される歪み補償信号を生成するステップとを有し、前記ルックアップテーブルは、適応区分段階において、前記増幅器の出力信号に基づいて費用関数を生成し、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、前記適応区分段階の後の固定区分段階において、前記増幅器の出力信号に基づいて費用関数を再生成し、固定区分点を決定し、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する、ことによって自動的に更新される。
【００１６】
本発明の他の一態様によれば、機械読み取り可能プログラムコードを含む記憶媒体が提供される。該プログラムコードが無線通信システム又は情報処理システム上で実行されるとき、該無線通信システム又は情報処理システムが、本発明に係る方法を実行する。
【００１７】
本発明の他の一態様によれば、機械実行可能命令を有するプログラムが提供される。該機械実行可能命令が無線通信システム又は情報処理システム上で実行されるとき、該無線通信システム又は情報処理システムが、本発明に係る方法を実行する。
【発明の効果】
【００１８】
本発明に係る適応デジタルプリディストーション装置及び方法は、適応区分段階において区分点を取得し、これに基づき、固定の区分点を介して、収束時間を許容範囲内に収めながら一層良好なプリディストーション性能を得ることができる。
【００１９】
本発明のこれら及びその他の利点は、図面を参照しての実施形態に関する以下の詳細な説明を通じて、より一層明らかになるであろう。
【図面の簡単な説明】
【００２０】
図面は、本発明の好適実施形態を例示するものであり、以下の説明と相俟って、本発明の原理を詳細に例証するものである。
【図１】曲線フィッティング法により取得される線形近似を例示する概略図である。
【図２】関連技術に係る適応区分プリディストーション装置を含む無線通信システムを例示するブロック図である。
【図３】本発明の第１実施形態に係る適応デジタルプリディストーション装置を含む無線通信システムを例示するブロック図である。
【図４】本発明の第１実施形態に係る適応デジタルプリディストーション方法を例示するフローチャートである。
【図５】本発明の第１実施形態に係る適応デジタルプリディストーション装置を含む無線通信システムを例示する詳細なブロック図である。
【図６】正規化された電力スペクトルの比較結果を例示する図である。
【図７】本発明の第２実施形態に係る適応デジタルプリディストーション方法を例示するフローチャートである。
【図８】非線形に増幅されたＯＦＤＭ信号から計算された帯域外電力の累積分布関数を例示する図である。
【図９】本発明の第３実施形態に係る適応デジタルプリディストーション装置を含む無線通信システムを例示する詳細なブロック図である。
【図１０】くし形フィルタを用いて取得された帯域外電力と、様々な平均化時間のアベレージャを用いて取得された帯域外電力とについての、正規化された標準偏差の比較結果を例示する図である。
【発明を実施するための形態】
【００２１】
図面を参照して、本発明の実施形態を説明する。なお、明瞭化のため、図面及び以下の説明において、本発明に関連せず且つ当業者に知られた構成要素及び処理に関する図示及び説明は省略することとする。
【００２２】
以下の説明及び図面は、本発明の特定の実施形態を詳細に開示し、本発明の原理がどのように用いられるか指し示すものである。認識されるように、本発明の範囲はこれらによって限定されるものではない。添付の請求項の精神及び範囲を逸脱することなく、本発明は数多くの変形、変更及び均等物を含むものである。
【００２３】
１つの実施形態に関して説明且つ／或いは図示される特徴は、その他の実施形態における特徴と組み合わされて、あるいはその他の実施形態における特徴を置き換えて、１つ以上のその他の実施形態においても同一あるいは同様に用いられ得る。
【００２４】
本明細書にて使用される“有する／含む”又は“有している／含んでいる”なる用語は、特徴、要素、ステップ又は部品の存在を明記するものであるが、１つ以上のその他の特徴、要素、ステップ若しくは部品の存在又は付加を排除するものではない。
【００２５】
本発明の実施形態は、適応的な区分を固定の区分と組み合わせる適応デジタルプリディストーション装置及び方法を提供する。当該装置及び方法は、適応的な区分によって区分点を取得し、これに基づき、固定の区分によって、収束時間を許容範囲内に収めながら一層良好な性能を得る。
【００２６】
本発明の実施形態に係る適応デジタルプリディストーション装置及び方法は、例えばＧＳＭ、ＣＤＭＡ、ＬＴＥ及びＬＴＥ−Ａなどの様々な無線通信システムに適用されることができる。また、本発明の実施形態における無線通信システムは、基地局又は中継局であってもよいし、携帯電話のようなユーザ機器であってもよい。
【００２７】
第１実施形態
図３−５を参照して、本発明の第１実施形態に係る適応デジタルプリディストーション装置及び方法を説明する。
【００２８】
図３は、本発明の第１実施形態に係る適応デジタルプリディストーション装置を含む無線通信システムのブロック図を例示しており、図４は、本発明の第１実施形態に係る適応デジタルプリディストーション方法のフローチャートを例示している、また、図５は、本発明の第１実施形態に係る適応デジタルプリディストーション装置を含む無線通信システムの詳細なブロック図を例示している。
【００２９】
図３に示すように、無線通信システムはプリディストーションユニット２１０を含んでいる。プリディストーションユニット２１０は、プリディストーションパラメータに従って入力信号のプリディストーション（歪み補償）処理を実行するプリディストータ２１１と、プリディストーションパラメータを格納するルックアップテーブル２１２と、入力信号の瞬時電力を計算する電力計算部２１３とを有している。無線通信システムはまた、増幅器の出力信号に従って費用関数を生成する費用関数生成ユニット２２０と、更新ユニット２３０とを含んでいる。更新ユニット２３０は、プリディストーションパラメータを更新するパラメータ更新部２３２と、ルックアップテーブル２１２を更新するルックアップテーブル更新部２３４とを有している。無線通信システムは更に、固定の区分点を決定する固定区分点決定ユニット２４０と、プリディストータ２１１から出力された歪み補償信号をＲＦ信号に変換する信号変換ユニット２６０と、該ＲＦ信号を増幅する増幅器２７０と、増幅されたＲＦ信号を送信するアンテナ２８０とを含んでいる。プリディストーションユニット２１０、費用関数生成ユニット２２０、パラメータ更新部２３２、固定区分点決定ユニット２４０及びルックアップテーブル更新部２３４が、本発明の第１実施形態に係る適応デジタルプリディストーション装置を構成する。プリディストーションユニット２１０、費用関数生成ユニット２２０、パラメータ更新部２３２、固定区分点決定ユニット２４０及びルックアップテーブル更新部２３４は、例えばＤＳＰ、ＦＰＧＡ、ＡＳＩＣなどのデジタル回路を用いて実装され、プロセッサに相当し得る。デジタルプリディストーション処理は、図３のプロセッサ２００によって実現される。
【００３０】
本発明に従ったプリディストータ２１１、電力計算部２１３、費用関数生成ユニット２２０、パラメータ更新部２３２、固定区分点決定ユニット２４０、ルックアップテーブル更新部２３４、信号変換ユニット２６０及び増幅器２７０は、ハードウェア回路又は実行可能コードによって実装され得る。例えば、これらは、ソフトウェア、ファームウェア、専用回路部品、又はコンピュータ読み取り可能媒体若しくは機械使用可能媒体に格納されたプログラムによって実装され得る。本発明に従ったルックアップテーブル２１２は、様々なメモリ及び記憶装置、半導体装置、例えば光ディスク、磁気ディスク及び光磁気ディスクなどのディスクユニット、並びに、情報を格納するのに適したその他の媒体とし得る。
【００３１】
適応デジタルプリディストーション処理を、適応区分段階及び固定区分段階として、以下にてそれぞれ説明する。
【００３２】
（Ｉ）適応区分段階
適応区分段階は、図４に示したステップＳＴ４０２−ＳＴ４１４を含む。
【００３３】
先ず、ステップＳＴ４０２にて、増幅器によって増幅されるべき入力信号に基づいて、ルックアップテーブルからプリディストーションパラメータが取り出される。詳細には、電力計算部２１３が、入力信号の瞬時電力を計算し、該瞬時電力に対応するプリディストーションパラメータをルックアップテーブル２１２から取り出す。しかしながら、当業者に認識されるように、入力信号に対応するプリディストーションパラメータをルックアップテーブル２１２から取り出すことは、この形態に限定されず、その他の方式で実現されてもよい。
【００３４】
ステップＳＴ４０４にて、入力信号がプリディストーションパラメータに従ってプリディストーション処理され、歪み補償信号が生成される。詳細には、プリディストータ２１１が、ルックアップテーブル２１２から取り出されたプリディストーションパラメータに従って、入力信号のプリディストーション処理を行う。プリディストーションパラメータに従ってどのようにして入力信号を予め歪ませるかということは、本発明の独創的な部分ではない。当業者は、採用されたプリディストーションパラメータに従って入力信号を予め歪ませるための対応する方法を選択して、歪み補償信号を生成し得る。
【００３５】
図４には示していないが、この無線通信システムにおいて、歪み補償信号は信号変換ユニット２６０によってＲＦ信号に変換され、該ＲＦ信号は増幅器２７０によって増幅される。そして、増幅されたＲＦ信号（すなわち、増幅器の出力信号）はアンテナ２８０によって送信される。
【００３６】
図５に示した無線通信システムにおいて、デジタル−アナログ（Ｄ／Ａ）変換器２６１、直交変調器２６２及びミキサ２６３は、図３の信号変換ユニット２６０を構成している。より詳細には、Ｄ／Ａ変換器２６１は、歪み補償信号のＤ／Ａ変換を実行して、アナログ信号を生成する。直交変調器２６２は該アナログ信号の直交変調を実行し、ミキサ２６３は該直交変調信号をＲＦ信号に変換する。
【００３７】
Ｄ／Ａ変換器２６１、直交変調器２６２及びミキサ２６３は、例えばソフトウェア、ファームウェア、専用回路部品、又はコンピュータ読み取り可能媒体若しくは機械使用可能媒体に格納されたプログラムなどの、ハードウェア回路又は実行可能コードによって実装され得る。
【００３８】
再び図４を参照するに、ステップＳＴ４０８にて、増幅器の出力信号に従って費用関数が生成される。より詳細には、増幅器２７０の出力信号が部分的に、結合を介して費用関数生成ユニット２２０へと供給され、費用関数生成ユニット２２０が、供給された出力信号に従って費用関数を生成する。例えば帯域外電力といった、出力信号の時間−周波数特性を表す様々な好適関数が、費用関数として用いられ得る。当業者に認識されるように、実際の要求に従って、１つの好適な関数が費用関数として選択されてもよいし、出力信号に従って費用関数が生成されてもよい。
【００３９】
図５を参照するに、どのように費用関数が生成されるかを詳細に例示するために、一例として帯域外電力を用いている。
【００４０】
図５のカップラ２２１、アッテネータ２２２、ミキサ２２３、アナログ帯域通過フィルタ２２４、電力検出器２２５、アナログ−デジタル（Ａ／Ｄ）変換器２２６及びアベレージャ２２７は、図３の費用関数生成ユニット２２０を形成している。
【００４１】
より詳細には、増幅器２７０の出力信号を部分的にアッテネータ２２２にフィードバックするために、増幅器２７０の出力端にカップラ２２１が結合されている。アッテネータ２２２が、減衰された信号の振幅がミキサ２２３に適したものとなるように、カップラ２２１からの信号を減衰させる。ミキサ２２３が、アッテネータ２２２によって減衰された信号に従って、ベースバンド信号を生成する。アナログ帯域通過フィルタ２２４が、ベースバンド信号から帯域外信号をフィルタリングし、フィルタリングされた帯域外信号を電力検出器２２５へと出力する。電力検出器２２５が、所定のアルゴリズムに従って、帯域外信号の瞬時帯域外電力を計算する。Ａ／Ｄ変換器２２６が、電力検出器２２５から出力された帯域外信号の瞬時帯域外電力を、デジタル帯域外電力信号に変換する。アベレージャ２２７が、Ａ／Ｄ変換器２２６から相次いで出力される複数のデジタル帯域外電力信号を平均化して、平均デジタル帯域外電力信号を取得する。平均デジタル帯域外電力信号は、費用関数として、パラメータ更新部２３２に入力される。
【００４２】
当業者に認識されるように、上述の構成要素群は必須のものではなく、単なる例示である。
【００４３】
本発明に従ったカップラ２２１、アッテネータ２２２、ミキサ２２３、アナログ帯域通過フィルタ２２４、電力検出器２２５、Ａ／Ｄ変換器２２６及びアベレージャ２２７は、例えばソフトウェア、ファームウェア、専用回路部品、又はコンピュータ読み取り可能媒体若しくは機械使用可能媒体に格納されたプログラムなどの、ハードウェア回路又は実行可能コードによって実装され得る。
【００４４】
再び図４を参照するに、ステップＳＴ４１０にて、費用関数に従ってパラメータが更新される。より詳細には、パラメータ更新部２３２が、費用関数生成ユニット２２０によって生成された費用関数に従ってパラメータを更新する。適応区分段階にて更新されるべきパラメータは、適応的な区分点ｋａ、該適応区分点ｋａの一方側での傾きｕ１、及び該適応区分点ｋａの他方側での傾きｕ２を含む。
【００４５】
ステップＳＴ４１２にて、更新後のパラメータに従ってルックアップテーブルが更新される。より詳細には、ルックアップテーブル更新部２３４が、等式（２）に従って、更新後のパラメータを用いてルックアップテーブル２１２を更新する。
【００４６】
ステップＳＴ４１４にて、適応区分段階が完了したかが判断される。完了している場合（図４のＹ）、この手順は固定区分段階に入る。完了していない場合（図４のＮ）、この手順はステップＳＴ４０２へと戻り、適応区分段階における処理を実行し続ける。
【００４７】
パラメータ及びルックアップテーブルをどのように更新するかということ、及び適応区分段階が完了したかをどのように判断するかということは、本発明の独創的な部分ではない。当業者は、現時点で利用可能な適切な手法、又は将来開発される適切な手法を用いることにより、それぞれのパラメータ及びルックアップテーブルを更新し、また、適応区分段階が完了したかを判断し得る。
【００４８】
例えば、パラメータ（ｕ１，ｕ２，ｋａ）に関し、パラメータ更新部２３２は一度にこれらのうちの１つのみを更新する。例えば、適応的な区分点ｋａが更新されるとき、適応区分点ｋａのみが所定のアルゴリズムにて費用関数に従って更新され、傾きｕ１及びｕ２は不変にされる。次いで、更新された適応区分点ｋａがルックアップテーブル更新部２３４に伝送される。ルックアップテーブル更新部２３４は、更新された適応区分点ｋａと更新されていない傾きｕ１及びｕ２とを用いることにより、等式（２）に従ってルックアップテーブル２１２を更新する。次いで、適応区分点ｋａに関する適応区分処理が完了したかが、帯域外電力が所定の閾値より小さいかを決定することによって判断される。帯域外電力が所定の閾値より小さくない場合、適応区分点ｋａに関する適応区分処理は完了していないと判断され、それ以外の場合には、該適応区分処理は完了したと判断される。各パラメータに関する適応区分処理が完了したとき、適応区分段階が完了する。
【００４９】
当業者に認識されるように、以上の説明は単なる例示であり、パラメータ更新はその他の手法で実現されてもよい。また、各パラメータに関する適応区分処理が完了したかを判断するための条件として、その他の条件（例えば、連続して生成された２つの費用関数間の差が所定の閾値より小さい、又はそのパラメータが所定回数だけ繰り返し更新された）が採用されてもよい。
【００５０】
図４は、本発明の実施形態に係る適応デジタルプリディストーション方法の適応区分段階におけるそれぞれのステップを特定の順序で示しているが、これらのステップの実行順序は図示した順序から変更されてもよい。また、図示した２つ以上のステップが同時に、あるいは部分的に同時に実行されてもよい。さらに、実用性、測定、トラブルシューティングなどを強化するために、如何なる量のコマンド、状態変数、信号又はメッセージが論理フローに追加されてもよい。認識されるように、これら全ての変更は本発明の範囲に属するものである。
【００５１】
（ＩＩ）固定区分段階
適応区分段階が完了した後、この手順は固定区分段階に進められる。固定区分段階は、図４に示したステップＳＴ４１６−ＳＴ４２８を含む。そのうち、ステップＳＴ４１６−ＳＴ４２０は適応区分段階におけるステップＳＴ４０２−ＳＴ４０６と同じであり、ここでは、それらに対応する説明は省略する。
【００５２】
ステップＳＴ４２２にて、費用関数に従ってパラメータが更新される。より詳細には、パラメータ更新部２３２が、費用関数生成ユニット２２０によって生成された費用関数に従ってパラメータを更新する。固定区分段階にて更新されるべきパラメータは、区分点の両側での傾きｖ１及びｖ２を含む。そして、パラメータを更新した後、パラメータ更新部２３２は、パラメータが更新されたことを固定区分点決定ユニット２４０に通知するため、固定区分点決定ユニット２４０にイネーブル信号を送信する。
【００５３】
ステップＳＴ４２４にて、固定区分点が読み出される。より詳細には、パラメータ更新部２３２からのイネーブル信号を受信した後、固定区分点決定ユニット２４０が、その内部のメモリから、予め格納された固定区分点ｋｂを読み出し、読み出した固定区分点ｋｂをルックアップテーブル更新部２３４に送信する。必要に応じて、あるいは加えて、固定区分点決定ユニット２４０は、入力手段（図示せず）を介してユーザによって入力された区分点を読み取り、それを固定区分点として採用する。例えば、ユーザは、製造者によって供給される該当種類の増幅器の標準的な増幅器逆伝達特性に従って、固定区分点を予め決定し得る。あるいは、ユーザは、以前の経験値に従って固定区分点を予め決定してもよい。
【００５４】
ステップＳＴ４２６にて、更新後のパラメータと読み出された固定区分点とに従ってルックアップテーブルが更新される。より詳細には、ルックアップテーブル更新部２３４が、等式：
【数３】
0005589874.tif 000004
にて、更新後のパラメータ（ｖ１，ｖ２）及び決定された固定区分点ｋｂを用いることにより、ルックアップテーブルを更新する。ただし、Ｌ’（・）は更新前のルックアップテーブルであり、Ｌ（・）は更新後のルックアップテーブルであり、ｋはルックアップテーブルのインデックスである。
【００５５】
ステップＳＴ４２８にて、固定区分段階が完了したかが判断される。完了していない場合（図４のＮ）、この手順はステップＳＴ４１６へと戻り、固定区分段階における処理を実行し続ける。完了している場合（図４のＹ）、この手順は完了することになる。
【００５６】
パラメータをどのように更新するかということ、及び固定区分段階が完了したかをどのように判断するかということは、本発明の独創的な部分ではない。当業者は、現時点で利用可能な適切な手法、又は将来開発される適切な手法を用いることにより、それぞれのパラメータを更新し、また、固定区分段階が完了したかを判断し得る。
【００５７】
例えば、パラメータ（ｖ１，ｖ２）に関し、パラメータ更新部２３２は一度にこれらのうちの１つのみを更新する。例えば、区分点の一方側の傾きｖ１が更新されるとき、傾きｖ１のみが所定のアルゴリズムにて費用関数に従って更新され、傾きｖ２は不変にされる。次いで、更新された傾きｖ１がルックアップテーブル更新部２３４に伝送される。ルックアップテーブル更新部２３４は、更新された傾きｖ１及び更新されていない傾きｖ２と、固定区分点決定ユニット２４０によって決定された固定区分点ｋｂとを用いることにより、等式（３）に従ってルックアップテーブル２１２を更新する。次いで、傾きｖ１に関する固定区分処理が完了したかが、帯域外電力が所定の閾値より小さいかを決定することによって判断される。帯域外電力が所定の閾値より小さくない場合、傾きｖ１に関する固定区分処理は完了していないと判断され、帯域外電力が所定の閾値より小さい場合には、傾きｖ１に関する固定区分処理は完了したと判断される。更新される必要がある全てのパラメータが更新されたとき、固定区分段階が完了したと判断される。これに代えて、あるいは加えて、複数の固定区分点が存在するとき、各固定区分点に関するパラメータ更新が完了するまで、上述の固定区分段階が複数回にわたって繰り返され得る。
【００５８】
当業者に認識されるように、以上の説明は単なる例示であり、パラメータ更新はその他の手法で実現されてもよい。また、各パラメータに関する固定区分処理が完了したかを判断するための条件として、その他の条件（例えば、連続して生成された２つの費用関数間の差が所定の閾値より小さい、又はそのパラメータが所定回数だけ繰り返し更新された）が採用されてもよい。
【００５９】
図４は、本発明の実施形態に係る適応デジタルプリディストーション方法の固定区分段階におけるそれぞれのステップを特定の順序で示しているが、これらのステップの実行順序は図示した順序から変更されてもよい。また、図示した２つ以上のステップが同時に、あるいは部分的に同時に実行されてもよい。さらに、実用性、測定、トラブルシューティングなどを強化するために、如何なる量のコマンド、状態変数、信号又はメッセージが論理フローに追加されてもよい。認識されるように、これら全ての変更は本発明の範囲に属するものである。
【００６０】
図４に示した方法は、プロセッサ、マイクロプロセッサ又はコントローラにて実行されてもよいし、何らかの適切な手法で実行されてもよい。
【００６１】
図６は、プリディストーションが適応的な区分によって実行されるとき、プリディストーションが適応的な区分と固定の区分とによって実行されるとき、そしてプリディストーションが実行されないときに達成される、正規化された電力スペクトルのシミュレーション結果を例示している。
【００６２】
図６において、縦軸は、正規化された電力をｄＢ単位で表しており、横軸は、ベースバンド中心周波数に対する周波数偏差量をＭＨｚ単位で表している。図６に示した例においては、固定区分に１つの固定区分点を用いている。図６から見て取れるように、本発明に従って適応的な区分と固定の区分との双方を用いるプリディストーション方法によって得られる帯域外電力は、適応的な区分のみを用いる関連技術に係るプリディストーションによって得られる帯域外電力に対して約３ｄＢ低減されている。
【００６３】
本発明の第１実施形態に係る適応デジタルプリディストーション方法及び装置においては、収束時間は依然として許容範囲内である。固定区分段階の収束時間が適応区分段階のそれより遙かに短いためである。故に、本発明の第１実施形態に係る適応デジタルプリディストーション方法及び装置は、適応区分段階を固定区分段階と組み合わせることにより、許容可能な収束時間内で良好な性能を実現することができる。
【００６４】
第２実施形態
本発明の第２実施形態に係る適応デジタルプリディストーション方法及び装置は、適応区分段階にて更新された区分点に従って固定区分点が決定されることを除いて、本発明の第１実施形態に係る適応デジタルプリディストーション方法及び装置と同じである。本発明の第２実施形態に係る適応デジタルプリディストーション装置のブロック図は図３と同一であるため、以下では、本発明の第２実施形態に係る適応デジタルプリディストーション装置及び方法を図３を参照して説明し、同一の構成要素の説明は省略する。
【００６５】
本発明の第２実施形態において、パラメータ更新部２３２は、適応区分段階にて更新された区分点ｋａを固定区分点決定ユニット２４０に送信する。固定区分点決定ユニット２４０は、パラメータ更新部２３２から伝送された適応的な区分点ｋａに従って固定区分点ｋｂを決定する。例えば、固定区分点決定ユニット２４０は、固定区分点ｋｂとして、適応区分点ｋａ付近の点、例えば、適応区分点ｋａの値より大きい値を有する点及び／又は適応区分点ｋａの値より小さい値を有する点、を選択し得る。
【００６６】
図７は、本発明の第２実施形態に係る適応デジタルプリディストーション方法のフローチャートを例示している。
【００６７】
本発明の第２実施形態に係る適応デジタルプリディストーション方法の適応区分段階は、第１実施形態における適応区分段階と同じである。故に、ステップＳＴ７０２−ＳＴ７１４は、それぞれ、図４のステップＳＴ４０２−ＳＴ４１４と同一であり、以下では、それらに対応する説明は省略する。
【００６８】
固定区分段階においても、ステップＳＴ７１８−ＳＴ７２４は、それぞれ、図４のステップＳＴ４１６−ＳＴ４２２と同一であり、ステップＳＴ７２８−ＳＴ７３０は、それぞれ、図４のステップＳＴ４２６−ＳＴ４２８と同一であるため、簡潔さのためにこれらのステップの説明は省略し、図４のステップとは異なるステップＳＴ７１６及びＳＴ７２６のみを説明する。
【００６９】
適応区分段階が完了した後、ステップＳＴ７１６にて、パラメータ更新部２３２は、適応区分段階中に更新された適応的な区分点ｋａを固定区分点決定ユニット２４０に送信し得る。
【００７０】
ステップＳＴ７２６にて、この適応区分点に従って固定区分点が決定される。詳細には、固定区分点決定ユニット２４０が、適応区分段階にて更新された適応区分点ｋａに従って固定区分点ｋｂを決定する。例えば、固定区分点決定ユニット２４０は、固定区分点ｋｂとして、適応区分点ｋａ付近の点、例えば、適応区分点ｋａの値より大きい値を有する点及び／又は適応区分点ｋａの値より小さい値を有する点、を選択し得る。
【００７１】
本発明の第２実施形態によれば、適応区分段階にて更新された適応区分点に従って固定区分点が決定されることで、増幅器の逆伝達特性がより良好に近似され、より良好なプリディストーション効果が達成される。
【００７２】
第３実施形態
パラメータ更新部の費用関数として帯域外電力を採用するプリディストーション装置においては、費用関数の揺らぎが、しばしば、パラメータ更新に悪影響を生じさせる。従来の方法は、長時間のアベレージャを用いることによって費用関数の揺らぎを低減している。しかしながら、長時間にわたる平均化は、プリディストーション装置の収束時間を増大させることになる。
【００７３】
図８は、非線形に増幅されたＯＦＤＭ信号から計算された帯域外電力の累積分布関数（ＣＤＦ）を例示している。図８において、横軸は帯域外電力をｄＢ単位で表し、縦軸は累積分布関数Ｆ（ｘ）を表している。
【００７４】
図８から見て取れるように、帯域外電力の揺らぎ範囲は約４０ｄＢであり、これは非常に大きいものである。帯域外電力の揺らぎに起因するパラメータ更新への影響を抑制するため、通常、揺らぎを低減するように複数回にわたって平均化するアベレージャが用いられる。しかしながら、そのようなアベレージャの使用は、プリディストーション装置の収束時間を増大させてしまう。このような収束時間の増大は、収束時間について高い要求を有する一部の用途では許容され得ないものである。例えば、周囲温度の変動に伴って増幅器の性能が変化する場合、良好なプリディストーション効果を達成するためには、増幅器の変化した逆伝達特性に従ってルックアップテーブルを可能な限り迅速に更新すべきである。
【００７５】
本発明の第３実施形態に係るプリディストーション装置においては、くし形フィルタを用いることによって、安定な費用関数を短時間で得ることができる。
【００７６】
図９は、本発明の第３実施形態に係る適応デジタルプリディストーション装置を含む無線通信システムのブロック図を例示している。
【００７７】
図９の構成要素は、アベレージャ２２７がくし形フィルタ３２７で置き換えられていることを除いて、図５の構成要素と同じである。同一の構成要素は同一の参照符号で表し、以下ではそれらの説明は省略する。図９のカップラ２２１、アッテネータ２２２、ミキサ２２３、アナログ帯域通過フィルタ２２４、電力検出器２２５及びＡ／Ｄ変換器２２６は、帯域外電力計算部を構成している。
【００７８】
くし形フィルタ３２７は、Ａ／Ｄ変換器２２６によって変換されたデジタルの帯域外電力信号のくし形フィルタリングを実行する。くし形フィルタの次数が高いほど、くし形フィルタのスペクトルにおける移行帯（トランジションゾーン）が急峻になる。しかしながら、過度に密な櫛の目（櫛歯）は、帯域外電力の揺らぎを抑圧するのに不利である。
【００７９】
例えば、８次のくし形フィルタが選択され得る。８次のくし形フィルタの伝達関数の一例は、等式：
【数４】
0005589874.tif 000005
によって与えられる。このくし形フィルタを用いることにより、安定な費用関数を短時間で得ることができる。
【００８０】
図１０は、くし形フィルタを用いて取得された帯域外電力と、様々な平均化時間のアベレージャを用いて取得された帯域外電力とのそれぞれについての、正規化された標準偏差の比較結果を例示している。図１０において、縦軸は正規化された標準偏差を表し、横軸はアベレージャの平均化時間を表している。
【００８１】
図１０から見て取れるように、等式（４）によって表されるくし形フィルタの正規化された標準偏差は、アベレージャによる１００回の平均化によって得られるそれと同等である。すなわち、等式（４）によって表されるくし形フィルタによる揺らぎの抑圧効果は、１００回の平均化を実行するアベレージャによる抑圧効果と実質的に等価である。とりわけ、１００回の平均化を実行するアベレージャと比較して、このくし形フィルタは、より少ないデータを用いて、同じ安定度の費用関数を実現することができる。故に、同一の揺らぎの場合、くし形フィルタを用いる適応デジタルプリディストーション装置及び方法の収束時間は、アベレージャを用いる適応デジタルプリディストーション装置及び方法の収束時間より短くなる。
【００８２】
従って、本発明の第３実施形態に係る適応デジタルプリディストーション装置及び方法の収束時間は更に短縮される。
【００８３】
本発明は更に、機械読み取り可能プログラムコードを格納した記憶媒体であって、無線通信システム又は情報処理システムが、その上で該プログラムコードが実行されるときに、本発明の実施形態に係る適応デジタルプリディストーション方法を実行する記憶媒体に関する。
【００８４】
本発明は更に、機械実行可能命令を含むプログラム製品であって、無線通信システム又は情報処理システムが、その上で該機械実行可能命令が実行されるときに、本発明の実施形態に係る適応デジタルプリディストーション方法を実行するプログラム製品に関する。
【００８５】
また、明らかなように、本発明に従った上述の方法の演算処理は、様々な機械読み取り可能記憶媒体に格納されたコンピュータ実行可能プログラムによっても実現され得る。
【００８６】
さらに、本発明の目的は、上述の実行可能プログラムコードを格納した記憶媒体をシステム又は機器に直接的あるいは間接的に提供し、該システム又は機器内のコンピュータ又はＣＰＵによって該プログラムコードを読み出して実行するようにして達成されてもよい。そのとき、そのシステム又は機器がプログラム実行機能を有する限り、本発明の実施形態は上述のようなプログラムに限定されず、プログラムは、例えばオブジェクトプログラム、インタープリタによって実行されるプログラム、オペレーティングシステムに提供されるスクリプト、又はこれらに類するものなど、如何なる形態を有していてもよい。
【００８７】
上述の機械読み取り可能記憶媒体は、以下に限られないが、様々なメモリ及び記憶装置、半導体装置、例えば光ディスク、磁気ディスク及び光磁気ディスクなどのディスクユニット、並びに、情報を格納するのに適したその他の媒体を含む。
【００８８】
また、本発明は、インターネットの対応するウェブサイトに接続し、本発明に従ったコンピュータプログラムをダウンロードしてインストールし、該プログラムを実行するコンピュータによって実現されてもよい。
【００８９】
最後に言及しておくことには、本願において、例えば左及び右、第１及び第２などの関係語は、単に、或るエンティティ又は処理を別のエンティティ又は処理と区別するために使用されているのであって、それらのエンティティ又は処理の間に実際にそのような関係又は順序を、その通りに要求あるいは課すものではない。また、用語“有する／有している”、“含む／含んでいる”、又はその他の如何なる活用形も、概して、非排他的な包含を意図するものであるので、一連の要素を有するプロセス、方法、品目又は装置は、それら一連の要素だけでなく、明示的に列挙されないその他の要素をも有し得るし、そのようなプロセス、方法、品目又は装置に本来備わる要素を有し得る。更なる限定が存在しない場合、“或る・・・を有する”なる文章によって規定される要素は、該要素を有するプロセス、方法、品目又は装置内に、同じ要素が更に存在することを排除しない。
【００９０】
図面を参照しながら本発明の実施形態を説明してきたが、認識されるように、上述の実施形態は、単に本発明を例示するために用いられたものであり、本発明に対する限定を構成するものではない。当業者は、本発明の本質及び範囲を逸脱することなく、上述の実施形態に様々な変更及び変形を為し得る。故に、本発明の範囲は、添付の特許請求の範囲及びその均等範囲によってのみ定められるものである。
【００９１】
以上の説明に関し、更に以下の付記を開示する。
（付記１）
増幅器によって増幅されるべき入力信号に基づいてルックアップテーブルからプリディストーションパラメータを取り出し、該プリディストーションパラメータに従って前記入力信号をプリディストーション処理して、前記増幅器によって増幅される歪み補償信号を生成するプリディストーションユニットと、
前記増幅器の出力信号に基づいて費用関数を生成する費用関数生成ユニットと、
固定区分点を決定する固定区分点決定ユニットと、
ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する更新ユニットと、
を有する適応デジタルプリディストーション装置。
（付記２）
前記費用関数生成ユニットは、
前記増幅器の前記出力信号に基づいて帯域外電力を計算する帯域外電力計算部と、
前記帯域外電力をフィルタリングし、フィルタリングされた帯域外電力を前記費用関数として前記更新ユニットに出力するくし形フィルタと、
を有する、付記１に記載の適応デジタルプリディストーション装置。
（付記３）
前記くし形フィルタは、伝達関数：
【数５】
0005589874.tif 000006
を有する、付記２に記載の適応デジタルプリディストーション装置。
（付記４）
前記固定区分点決定ユニットは、前記適応的な区分点ｋａに基づいて前記固定区分点を決定する、付記１に記載の適応デジタルプリディストーション装置。
（付記５）
前記固定区分点は、前記固定区分点決定ユニットが所定の区分点を当該固定区分点として読み出すことによって決定される、付記１に記載の適応デジタルプリディストーション装置。
（付記６）
前記更新ユニットは、前記更新後のパラメータ（ｕ１，ｕ２，ｋａ）に基づいて前記ルックアップテーブルを、
【００９２】
【数６】
0005589874.tif 000007
によって更新し、
ただし、Ｌ’（・）は更新前のルックアップテーブル、Ｌ（・）は更新後のルックアップテーブル、ｋは前記ルックアップテーブルのインデックスである、
付記１に記載の適応デジタルプリディストーション装置。
（付記７）
前記更新ユニットは、前記更新後のパラメータ（ｖ１，ｖ２）及び前記固定区分点に基づいて前記ルックアップテーブルを、
【数７】
0005589874.tif 000008
によって更新し、
ただし、ｋｂは前記固定区分点、Ｌ’（・）は更新前のルックアップテーブル、Ｌ（・）は更新後のルックアップテーブル、ｋは前記ルックアップテーブルのインデックスである、
付記１に記載の適応デジタルプリディストーション装置。
（付記８）
増幅器によって増幅されるべき入力信号に基づいてルックアップテーブルからプリディストーションパラメータを取り出すステップと、
前記プリディストーションパラメータに従って前記入力信号をプリディストーション処理して、前記増幅器によって増幅される歪み補償信号を生成するステップと、
を有し、
前記ルックアップテーブルは、
適応区分段階において、前記増幅器の出力信号に基づいて費用関数を生成し、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、
前記適応区分段階の後の固定区分段階において、前記増幅器の出力信号に基づいて費用関数を再生成し、固定区分点を決定し、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する、
ことによって自動的に更新される、
適応デジタルプリディストーション方法。
（付記９）
前記費用関数は、
前記増幅器の前記出力信号に基づいて帯域外電力を計算し、且つ
くし形フィルタにより、計算された帯域外電力をフィルタリングし、フィルタリングされた帯域外電力を前記費用関数として出力する、
ことによって生成される、付記８に記載の適応デジタルプリディストーション方法。
（付記１０）
前記くし形フィルタは、伝達関数：
【数８】
0005589874.tif 000009
を有する、付記９に記載の適応デジタルプリディストーション方法。
（付記１１）
前記固定区分点は前記適応的な区分点ｋａに基づいて決定される、付記８に記載の適応デジタルプリディストーション方法。
（付記１２）
前記固定区分点は予め決定されている、付記８に記載の適応デジタルプリディストーション方法。
（付記１３）
前記適応区分段階において、前記ルックアップテーブルは、前記更新後のパラメータ（ｕ１，ｕ２，ｋａ）に基づいて、
【数９】
0005589874.tif 000010
によって更新され、
ただし、Ｌ’（・）は更新前のルックアップテーブル、Ｌ（・）は更新後のルックアップテーブル、ｋは前記ルックアップテーブルのインデックスである、
付記８に記載の適応デジタルプリディストーション方法。
（付記１４）
前記固定区分段階において、前記ルックアップテーブルは、前記更新後のパラメータ（ｖ１，ｖ２）及び前記固定区分点に基づいて、
【数１０】
0005589874.tif 000011
によって更新され、
ただし、ｋｂは前記固定区分点、Ｌ’（・）は更新前のルックアップテーブル、Ｌ（・）は更新後のルックアップテーブル、ｋは前記ルックアップテーブルのインデックスである、
付記８に記載の適応デジタルプリディストーション方法。
（付記１５）
機械読み取り可能プログラムコードを格納した記憶媒体であって、該プログラムコードが無線通信システム又は情報処理システム上で実行されるとき、該無線通信システム又は情報処理システムが、請求項８乃至１４の何れかに記載の適応デジタルプリディストーション方法を実行する、記憶媒体。
（付記１６）
機械実行可能命令を有するプログラムであって、該命令が無線通信システム又は情報処理システム上で実行されるとき、該無線通信システム又は情報処理システムが、請求項８乃至１４の何れかに記載の適応デジタルプリディストーション方法を実行する、プログラム。
（付記１７）
増幅器によって増幅されるべき入力信号に基づいてルックアップテーブルからプリディストーションパラメータを取り出し、該プリディストーションパラメータに従って前記入力信号をプリディストーション処理して、前記増幅器によって増幅される歪み補償信号を生成し、前記増幅器の出力信号に基づいて費用関数を生成し、固定区分点を決定し、ｋａは適応的な区分点、ｕ１は前記適応的な区分点ｋａの一方側での傾き、ｕ２は前記適応的な区分点ｋａの他方側での傾きであるとして、前記費用関数に従ってパラメータ（ｕ１，ｕ２，ｋａ）を更新し、更新後のパラメータ（ｕ１，ｕ２，ｋａ）に基づいて前記ルックアップテーブルを更新し、且つ、ｖ１は前記固定区分点の一方側での傾き、ｖ２は前記固定区分点の他方側での傾きであるとして、前記費用関数に従ってパラメータ（ｖ１，ｖ２）を更新し、更新後のパラメータ（ｖ１，ｖ２）及び前記固定区分点に基づいて前記ルックアップテーブルを更新する、プロセッサと、
前記歪み補償信号を無線信号に変換する変換器と、
前記無線信号を増幅する前記増幅器と、
を有する適応デジタルプリディストーション装置。
【符号の説明】
【００９３】
２００  プロセッサ
２１０  プリディストーションユニット
２１１  プリディストータ
２１２  ルックアップテーブル
２１３  電力計算部
２２０  費用関数生成ユニット
２２２  アッテネータ
２２３  ミキサ
２２４  バンドパスフィルタ
２２５  電力検出器
２２６  Ａ／Ｄ変換器
２２７  アベレージャ
２３０  更新ユニット
２３２  パラメータ更新部
２３４  ルックアップテーブル更新部
２４０  固定区分点決定ユニット
２６０  信号変換ユニット
２６１  Ｄ／Ａ変換器
２６２  直交変調器
２６３  ミキサ
２７０  増幅器
２８０  アンテナ
３２７  くし形フィルタ
【図１】
0005589874.tif 000015
【図２】
0005589874.tif 000016
【図３】
0005589874.tif 000017
【図４】
0005589874.tif 000018
【図５】
0005589874.tif 000019
【図６】
0005589874.tif 000020
【図７】
0005589874.tif 000021
【図８】
0005589874.tif 000022
【図９】
0005589874.tif 000023
【図１０】
0005589874.tif 000024